(57)【要約】【課題】装着操作の際に特段の注意を払わずとも、常法に従って装着するだけで着用者の股間部にフィットし、高い漏れ防止効果を奏し得る吸収性物品を提供すること。【解決手段】背側部１Ｒにおける吸収性本体５に一対の止着用部材８が固定され、股下部１Ｍにおける吸収性コア４０に、縦方向Ｘに延びる非積繊部４５が形成されている。止着用部材８は、吸収性本体５の側縁部５Ｓに固定された伸縮性のサイドパネル６とファスニングテープ７とを含む。吸収性本体５の展開状態且つサイドパネル６の自然状態において、一対の止着用部材８それぞれに対して、サイドパネル固定点Ａ及びファスニングテープ固定点Ｂを通る仮想直線Ｌ１を引いた場合に、その２本の仮想直線Ｌ１の交点Ｃ又はその近傍に、非積繊部４５の背側縦方向端４５Ｒが位置し、非積繊部４５は、背側縦方向端４５Ｒから吸収性コア４０の腹側縦方向端４０Ｆに向かって縦方向Ｘに延びている。【選択図】図１
2017051281.tif 000002
【特許請求の範囲】
【請求項１】
着用者の腹側から股間部を介して背側に延びる縦方向とこれに直交する横方向とを有すると共に、着用時に該股間部に配される股下部と、該股下部よりも着用者の腹側に配される腹側部と、該股下部よりも着用者の背側に配される背側部とを縦方向に有し、
コア形成材料が積繊されてなる吸収性コアを含んで構成される吸収性本体を具備し、前記背側部における該吸収性本体の縦方向に沿う両側縁部に、一対の止着用部材が該両側縁部から横方向外方に延出するように固定された吸収性物品であって、
前記股下部における前記吸収性コアに、縦方向に延びる非積繊部が形成されており、
一対の前記止着用部材は、それぞれ、前記吸収性本体の側縁部から横方向外方に延出するように該吸収性本体に固定された伸縮性のサイドパネルと、該サイドパネルの延出方向先端部から横方向外方に延出するように該サイドパネルに固定されたファスニングテープとを含んで構成され、
前記吸収性本体を平面状に拡げて展開状態とし且つ前記サイドパネルを自然状態とした場合において、
前記サイドパネルの前記吸収性本体との固定部における縦方向最内方且つ横方向最外方に位置する部分を、サイドパネル固定点とし、
前記ファスニングテープの前記サイドパネルとの固定部における縦方向最内方且つ横方向最外方に位置する部分を、ファスニングテープ固定点とし、
一対の前記止着用部材それぞれに対して、前記サイドパネル固定点及び前記ファスニングテープ固定点を通る仮想直線Ｌ１を引いた場合に、
その２本の仮想直線Ｌ１の交点又は該交点の近傍に、前記非積繊部の背側縦方向端が位置しており、該非積繊部は、該背側縦方向端から前記吸収性コアの腹側縦方向端に向かって縦方向に延びている吸収性物品。
【請求項２】
前記吸収性本体は、前記腹側部から前記背側部にわたって、前記吸収性コアの縦方向に沿う両側縁それぞれから横方向外方に延出する一対のサイドフラップ部を有し、一対の該サイドフラップ部それぞれに、レッグギャザー形成用弾性部材が、前記股下部を通って縦方向に延びるように伸長状態で配されており、
前記吸収性本体を平面状に拡げて展開状態とし且つ前記サイドパネルを自然状態とした場合において、
一対の前記サイドフラップ部のうちの一方における前記弾性部材の腹側縦方向端と、他方におけるそれとが、縦方向において同位置にあり、それら両腹側縦方向端を通って横方向に延びる仮想直線Ｌ２を１本引いた場合に、その仮想直線Ｌ２上、又は仮想直線Ｌ２の近傍で且つ仮想直線Ｌ２よりも前記交点に近い部位に、前記非積繊部の腹側縦方向端が位置している請求項１に記載の吸収性物品。
【請求項３】
前記吸収性本体は、前記腹側部から前記背側部にわたって、前記吸収性コアの縦方向に沿う両側縁それぞれから横方向外方に延出する一対のサイドフラップ部を有し、一対の該サイドフラップ部それぞれに、レッグギャザー形成用弾性部材が、前記股下部を通って縦方向に延びるように伸長状態で配されており、
前記吸収性本体を平面状に拡げて展開状態とし且つ前記サイドパネルを自然状態とした場合において、
２本の前記仮想直線Ｌ１それぞれの近傍に、前記レッグギャザー形成用弾性部材の背側縦方向端が位置している請求項１又は２に記載の吸収性物品。
【請求項４】
前記吸収性本体の背側縦方向端から２本の前記仮想直線Ｌ１の交点までの縦方向に沿った長さは、該吸収性本体の縦方向の全長の３０〜５０％である請求項１〜３の何れか一項に記載の吸収性物品。
【発明の詳細な説明】
【技術分野】
【０００１】
本発明は、使い捨ておむつ等の吸収性物品に関し、特に止着用部材を備えた展開型吸収性物品に関する。
【背景技術】
【０００２】
吸収性物品の典型的な形態としては、着用者の腹側に配される腹側部及び背側に配される背側部並びにそれらの間に位置する股下部を有し、液透過性の表面シート、液不透過性の裏面シート及び両シート間に配置された吸収性コアを具備するものが挙げられる。また、吸収性物品の一種である使い捨ておむつとして、吸収性コアを含む吸収性本体の背側部における両側縁部に、横方向に伸縮する伸縮性のサイドパネルが、該側縁部から横方向外方に延出するように取り付けられ、さらに各サイドパネルの延出方向先端部に、おむつを装着する際に利用する止着用のファスニングテープが取り付けられてなる展開型使い捨ておむつが知られている。斯かる構成の展開型使い捨ておむつは、背側部のファスニングテープを着用者の腹側に引き延ばし、該テープの止着部を腹側部の外表面に止着することで装着することができる。
【０００３】
また、吸収性物品においては従来、種々の目的で、吸収性コアの一部に、周辺部よりも坪量の少ない溝部、あるいは吸収性コアを厚み方向に貫通する貫通孔を形成することが行われている。例えば特許文献１には、吸収性コアを横方向に容易に屈曲し得るようにする目的で、展開型使い捨ておむつにおける吸収性コアに、屈曲手段としての縦方向に延びる溝部を、横方向の中心線に対し対称に２つ形成することが記載されている。また特許文献２には、排泄液の拡散性及びフィット性の向上の目的で、展開型使い捨ておむつにおける吸収性コアに、縦方向に延びる溝部を複数形成することが記載されている。
【先行技術文献】
【特許文献】
【０００４】
【特許文献１】特開２００４−１４１５３２号公報
【特許文献２】特開２００５−３４６５２号公報
【発明の概要】
【発明が解決しようとする課題】
【０００５】
展開型吸収性物品は、ファスニングテープを適正位置に止着する等して、適正な着用状態をとることで初めて、本来の性能を発揮することができる。特許文献１及び２記載の展開型吸収性物品は、吸収性コアに溝部や貫通孔のような、コア形成材料が実質的に積繊されていない非積繊部が形成されているところ、その非積繊部の形成位置がファスニングテープとの関係において適切でないこと等に起因して、ファスニングテープの止着操作において、おむつの肌対向面を形成する表面シート等の部材に意図しない皺や折れが発生しやすく、フィット性の点で改善の余地があった。おむつの着用状態において、表面シートに意図しない皺や折れが存在していると、表面シートと着用者の肌との間に隙間が生じ、尿等の排泄液がその隙間を伝って外部に漏れ出すおそれがある。
【０００６】
従って本発明は、装着操作の際に特段の注意を払わずとも、常法に従って装着するだけで着用者の股間部にフィットし、高い漏れ防止効果を奏し得る吸収性物品を提供することに関する。
【課題を解決するための手段】
【０００７】
本発明は、着用者の腹側から股間部を介して背側に延びる縦方向とこれに直交する横方向とを有すると共に、着用時に該股間部に配される股下部と、該股下部よりも着用者の腹側に配される腹側部と、該股下部よりも着用者の背側に配される背側部とを縦方向に有し、コア形成材料が積繊されてなる吸収性コアを含んで構成される吸収性本体を具備し、前記背側部における該吸収性本体の縦方向に沿う両側縁部に、一対の止着用部材が該両側縁部から横方向外方に延出するように固定された吸収性物品であって、前記股下部における前記吸収性コアに、縦方向に延びる非積繊部が形成されており、一対の前記止着用部材は、それぞれ、前記吸収性本体の側縁部から横方向外方に延出するように該吸収性本体に固定された伸縮性のサイドパネルと、該サイドパネルの延出方向先端部から横方向外方に延出するように該サイドパネルに固定されたファスニングテープとを含んで構成され、前記吸収性本体を平面状に拡げて展開状態とし且つ前記サイドパネルを自然状態とした場合において、前記サイドパネルの前記吸収性本体との固定部における縦方向最内方且つ横方向最外方に位置する部分を、サイドパネル固定点とし、前記ファスニングテープの前記サイドパネルとの固定部における縦方向最内方且つ横方向最外方に位置する部分を、ファスニングテープ固定点とし、一対の前記止着用部材それぞれに対して、前記サイドパネル固定点及び前記ファスニングテープ固定点を通る仮想直線Ｌ１を引いた場合に、その２本の仮想直線Ｌ１の交点又は該交点の近傍に、前記非積繊部の背側縦方向端が位置しており、該非積繊部は、該背側縦方向端から前記吸収性コアの腹側縦方向端に向かって縦方向に延びている吸収性物品を提供するものである。
【発明の効果】
【０００８】
本発明によれば、装着操作の際に特段の注意を払わずとも、常法に従って装着するだけで着用者の股間部にフィットし、高い漏れ防止効果を奏し得る吸収性物品が提供される。
【図面の簡単な説明】
【０００９】
【図１】図１は、本発明の吸収性物品の一実施形態としての使い捨ておむつを、吸収性本体の各部の弾性部材を伸長させて平面状に拡げた展開状態を示す表面シート側、即ち肌対向面側の一部破断平面図である。
【図２】図２は、図１のＩ−Ｉ線（非積繊部の配置部位）での模式的な横断面図である。
【図３】図３は、図１のＩＩ−ＩＩ線（止着用部材の配地部位）での模式的な横断面図である。
【図４】図４は、図１に示すおむつの着用状態をその着用者の背側からみた場合の模式的な背面図である。
【図５】図５は、図４に示す着用状態のおむつにおける股下部の模式的な横断面図である。
【発明を実施するための形態】
【００１０】
以下、本発明の吸収性物品について、その好ましい一実施形態である使い捨ておむつに基づき図面を参照しながら説明する。本実施形態の使い捨ておむつ１は、図１に示すように、着用者の腹側から股間部を介して背側に延びる縦方向Ｘとこれに直交する横方向Ｙとを有すると共に、着用時に該股間部に配される股下部１Ｍと、股下部１Ｍよりも着用者の腹側に配される腹側部１Ｆと、股下部１Ｍよりも着用者の背側に配される背側部１Ｒとを縦方向Ｘに有する。股下部１Ｍは、着用時にペニス等の着用者の排泄部に対向配置される図示しない排泄部対向部を含んでいる。排泄部対向部は通常、おむつ１の縦方向Ｘの中央よりもやや腹側部１Ｆ寄りに偏倚した位置にある。腹側部１Ｆ、股下部１Ｍ及び背側部１Ｒは、おむつ１（吸収性本体５）を縦方向Ｘに略３等分するように区分したときの各領域に相当する。
【００１１】
おむつ１は、いわゆる展開型のパネルタイプの使い捨ておむつであり、液透過性の表面シート２、液不透過性ないし撥水性の裏面シート３及び両シート２，３間に介在配置された液保持性の吸収体４を備えた吸収性本体５と、背側部１Ｒにおける吸収性本体５の縦方向Ｘに沿う両側縁部５Ｓ，５Ｓに固定された一対の止着用部材８，８と具備している。おむつ１は、これ（吸収性本体５）を横方向Ｙに二分して縦方向Ｘに延びる縦中心線ＣＬｘを基準として対称に形成されている。吸収性本体５は、図１に示す如き平面視において縦方向Ｘに長い長方形形状をなしている。一対の止着用部材８，８は、背側部１Ｒにおける吸収性本体５の両側縁部５Ｓ，５Ｓから横方向Ｙの外方に延出するように、吸収性本体５に固定されている。
【００１２】
表面シート２及び裏面シート３は、それぞれ、吸収体４よりも大きな寸法を有し、吸収体４の周縁から外方に延出し、それらの延出部どうしは、接着剤、ヒートシール、超音波シール等の公知の接合手段によって互いに接合されている。表面シート２及び裏面シート３としては、それぞれ、この種の吸収性物品に従来用いられている各種のものを特に制限なく用いることができる。例えば、表面シート２としては各種の不織布や開孔フィルム等を用いることができ、裏面シート３としては樹脂フィルムや、樹脂フィルムと不織布等とのラミネート等を用いることができる。裏面シート３には、例えば、液不透過性のフィルムシート単独の形態と、該フィルムシートの非肌対向面、即ち外表面側に外装シートを積層配置した形態とがあり、該外装シートは例えば不織布である。
【００１３】
吸収体４は、液保持性の吸収性コア４０と、該吸収性コア４０の肌対向面を被覆する肌側コアラップシート４１と、該吸収性コア４０の非肌対向面を被覆する非肌側コアラップシート４２とを含んで構成されている。吸収性コア４０は、図１に示す如き平面視において、縦方向Ｘの中央部が内方に括れた砂時計状をなし、縦方向Ｘに長い形状をなしている。吸収性コア４０は、腹側部１Ｆに腹側縦方向端４０Ｆ、背側部１Ｒに背側縦方向端４０Ｒを有し、股下部１Ｍの縦方向Ｘの全長にわたっている。図２及び図３に示すように、肌側コアラップシート４１は、吸収性コア４０の肌対向面と略同じ大きさを有しているのに対し、非肌側コアラップシート４２は、吸収性コア４０の非肌対向面よりも横方向Ｙの長さ（即ち幅）が大きい。その幅広の非肌側コアラップシート４２は、吸収性コア４０の非肌対向面の全域を被覆し、且つ吸収性コア４０の縦方向Ｘに沿う両側縁から横方向Ｙの外方に延出し、その延出部が、吸収性コア４０の肌対向面に対向配置された肌側コアラップシート４１上に巻き上げられ、肌側コアラップシート４１の縦方向Ｘに沿う両側縁部を被覆している。
【００１４】
尚、本明細書において、「肌対向面」は、吸収性物品又はその構成部材（例えば吸収性本体５）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。また本明細書において、「着用時」は、通常の適正な着用位置、即ち当該吸収性物品の正しい着用位置が維持された状態を意味し、吸収性物品が該着用位置からずれた状態にある場合は含まない。
【００１５】
吸収性コア４０は、吸収性材料を含むコア形成材料が積繊されてなり、単層構造である。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。即ち、吸収性コア４０は、親水性繊維の積繊体、あるいは該積繊体に吸水性ポリマー粒子を担持させたものであり得る。コアラップシート４１，４２としては、例えば、紙、不織布等を用いることができる。
【００１６】
図１及び図２に示すように、股下部１Ｍにおける吸収性コア４０には、縦方向に延びる非積繊部４５が形成されている。より具体的には図１に示すように、おむつ１においては、縦方向Ｘに延びる一対の非積繊部４５，４５が、おむつ１を横方向Ｙに二分して縦方向Ｘに延びる縦中心線ＣＬｘを基準として、対称に形成されている。各非積繊部４５は、平面視において長方形形状をなし、その長手方向が縦方向Ｘに一致している。吸収性コア４０の肌対向面において、各非積繊部４５の横方向Ｙの長さ（即ち幅）はその長手方向（縦方向Ｘ）の全長に亘って一定であり、また、吸収性コア４０の非肌対向面においても、各非積繊部４５の幅はその長手方向の全長に亘って一定である。
【００１７】
おむつ１における非積繊部４５は、図２に示すように、吸収性コアを構成するコア形成材料が全く存在しない貫通孔（つまり坪量がゼロ）である。但し、本発明に係る非積繊部には、非積繊部４５のような貫通孔の形態の他に、吸収性コアの他の領域よりも少量（具体的には２０ｇ／ｍ2程度）のコア形成材料が若干存在している形態も含まれる。そのような少量積繊部からなる非積繊部によっても、貫通孔からなる非積繊部と同様の作用効果（液拡散作用等）が奏されるためである。液拡散効果等を考慮すると、少量積繊部からなる非積繊部よりも、貫通孔からなる非積繊部の方が好ましい。
【００１８】
非積繊部４５は、図１に示すように、腹側部１Ｆにおける吸収性コア４０の腹側縦方向端４０Ｆよりも縦方向Ｘの内方位置から、股下部１Ｍを介して、背側部１Ｒにおける吸収性コア４０の背側縦方向端４０Ｒよりも縦方向Ｘの内方位置にわたって連続している。即ち非積繊部４５は、腹側部１Ｆに腹側縦方向端４５Ｆを有し、該腹側縦方向端４５Ｆは、吸収性コア４０の腹側縦方向端４０Ｆよりも縦方向Ｘの内方に位置し、両縦方向端４５Ｆ，４０Ｆの間には、吸収性コア４０を構成するコア形成材料が非積繊部４５よりも多量に存している。また非積繊部４５は、背側部１Ｒに背側縦方向端４５Ｒを有し、該背側縦方向端４５Ｒは、吸収性コア４０の背側縦方向端４０Ｒよりも縦方向Ｘの内方に位置し、両縦方向端４５Ｒ，４０Ｒの間には、吸収性コア４０を構成するコア形成材料が非積繊部４５よりも多量に存している。
【００１９】
非積繊部４５（貫通孔からなる非積繊部）は、吸収性コア４０の製造時における木材パルプ等のコア形成材料の積繊工程において、コア形成材料の積繊を意図的に阻害して形成された部位である。非積繊部４５を有する吸収性コア４０は、従来公知の吸収性コアの製造方法に従って製造することができ、例えば、空気流に乗せて供給したコア形成材料を、回転ドラムの外周面に形成された成形型上に吸引して堆積させて吸収性コア４０を得る方法において、該成形型として所定パターンの成形型、例えば非積繊部４５に対応する部位が周辺部に比して上方に突出している成形型を用いることで製造することができる。斯かる方法で得られた吸収性コア４０において、コア形成材料が存在していない部分が非積繊部４５である。尚、非積繊部４５を有する吸収性コア４０の他の製造方法として、非積繊部を有していない吸収性コアを製造し、該吸収性コアの所定部位に型抜き加工や切削加工等の後加工を施して非積繊部を形成する方法を採用することもできる。前記の「少量積繊部からなる非積繊部」を有する吸収性コアも、前記方法に準じて製造することができる。
【００２０】
図２に示すように、非積繊部４５においては肌側コアラップシート４１と非肌側コアラップシート４２とが接合している。斯かる構成により、吸収性コア４０と両シート４１，４２との密着性が向上するため、両シート４１，４２間に介在配置された吸収性コア４０の保形性が向上し、吸収性コア４０を構成するコア形成材料に含まれる吸水性ポリマー粒子等の吸収性材料が尿等の排泄液を吸収することによって膨潤しても、吸収性コア４０の変形の程度が抑制される。また、肌側コアラップシート４１が表面シート２に接着剤によって接合され、非肌側コアラップシート４２が裏面シート３に接着剤によって接合されていることと相俟って、斯かる構成により、吸収体４の動きが拘束されるため、おむつ１の着用中に吸収体４が表面シート２や裏面シート３に対して移動し難い。従って、おむつ１の使用中に吸収体４（吸収性コア４０）が壊れ難く、優れた吸収性能が安定的に発揮され得る。また、斯かる構成により、吸収性コア４０による排泄液の取り込み性が向上すると共に、コア形成材料に含まれる吸収性材料の膨潤に起因する非積繊部４５の埋没が効果的に防止される。
【００２１】
非積繊部４５における両シート４１，４２の接合部は、例えば次のようにして形成することができる。即ち、両シート４１，４２の少なくとも一方における非積繊部４５の対応位置に予めホットメルト型接着剤等の接着剤を塗布しておき、吸収性コア４０を両シート４１，４２で被覆して吸収体４を得た後、シート４１及び／又はシート４２を非積繊部４５に押し込むことにより、非積繊部４５において両シート４１，４２を接合させることができる。このシート４１，４２の押し込みの際には、熱を伴うか若しくは伴わないエンボス又は超音波エンボス等の公知のエンボス加工を利用することもできる。おむつ１においては、両シート４１，４２の接合部は、図２に示すように、吸収体４の厚み方向において非肌対向面側即ち裏面シート３側に偏在しており、非肌側コアラップシート４２は平坦であるが、肌側コアラップシート４１は非積繊部４５の形成位置において凹状に窪んでいる。また本実施形態においては、両シート４１，４２の接合部は、非積繊部４５の縦方向Ｘのほぼ全長に亘って連続している。ここで、「ほぼ全長」とは、完全な全長の９０％以上であることをいう。
【００２２】
図１〜図３に示すように、吸収性本体５の表面シート２側における縦方向Ｘに沿う左右両側には、それぞれサイドシート５１が配されている。サイドシート５１は、縦方向Ｘに沿う内側縁部と、該内側縁部よりも横方向Ｙの外方に位置して縦方向Ｘに沿う外側縁部とを有し、図１に示す如き平面視において、サイドシート５１の内側縁部は吸収体４と重なり、サイドシート５１の外側縁部は、吸収体４の縦方向Ｘに沿う側縁から横方向Ｙの外方に延出し、裏面シート３と接合されている。サイドシート５１の内側縁部には、糸状の立体ギャザー形成用弾性部材５２が縦方向Ｘに沿って伸長状態で固定されており、これにより、おむつ１の着用時には弾性部材５２の収縮により少なくとも股下部１Ｍに立体ギャザーが形成される。
【００２３】
図１に示すように、吸収性本体５は、腹側部１Ｆから背側部１Ｒにわたって、吸収体４（吸収性コア４０）の縦方向Ｘに沿う両側縁それぞれから横方向Ｙの外方に延出する一対のサイドフラップ部５０，５０を有している。図２及び図３に示すように、サイドフラップ部５０は、表面シート２、裏面シート３及びサイドシート５１それぞれにおける、吸収体４の縦方向Ｘに沿う側縁から横方向Ｙの外方に延出する部分によって形成されており、各シート２，３，５１は、接着剤、ヒートシール、超音波シール等の公知の接合手段によって相互に接合されている。吸収性本体５の縦方向Ｘに沿う両側縁部５Ｓ，５Ｓは、サイドフラップ部５０からなる。
【００２４】
図１及び図２に示すように、一対のサイドフラップ部５０，５０それぞれには、糸状のレッグギャザー形成用弾性部材５３が、股下部１Ｍを通って縦方向Ｘに延びるように伸長状態で配されている。股下部１Ｍにおけるサイドフラップ部５０は、おむつ１の着用時に着用者の脚周りに配されるいわゆるレッグ部として機能する部位であり、斯かる構成により該レッグ部には、おむつ１の着用時において弾性部材５３の収縮により一対のレッグギャザーが形成される。
【００２５】
一対の止着用部材８，８は、それぞれ、図１及び図３に示すように、吸収性本体５の側縁部５Ｓから横方向Ｙの外方に延出するように吸収性本体５に固定された伸縮性のサイドパネル６と、該サイドパネル６の延出方向の先端部６Ｓから横方向Ｙの外方に延出するようにサイドパネル６に固定されたファスニングテープ７とを含んで構成されている。止着用部材８（サイドパネル６，ファスニングテープ７）は、吸収性本体５とは別部材である。
【００２６】
サイドパネル６は、図１及び図３に示すように、平面視して四角形形状の２枚のパネル材６１，６１と、両パネル材６１，６１間に伸長状態で固定され且つ横方向Ｙに延びる複数本の弾性部材６２とを含んで構成されている。複数本の弾性部材６２は、サイドパネル６の横方向Ｙの中央部にて縦方向Ｘに所定間隔を置いて配置されている。サイドパネル６における弾性部材６２の配置部位（横方向Ｙの中央部）は、弾性部材６２の伸長方向である横方向Ｙに伸縮可能な伸縮部であり、斯かる伸縮部によりサイドパネル６は、横方向Ｙに伸縮性を有している。サイドパネル６の縦方向Ｘに沿う両側縁部のうち、縦中心線ＣＬｘから相対的に近い内側縁部側が、吸収性本体５の側縁部５Ｓ（サイドフラップ部５０）におけるサイドシート５１と裏面シート３との間に接着剤等の公知の接合手段によって固定されて、サイドパネル６の吸収性本体５との固定部６０が形成され、縦中心線ＣＬｘから相対的に遠い外側縁部即ち延出方向先端部６Ｓ側が、吸収性本体５の側縁部５Ｓよりも横方向Ｙの外方に位置している。
【００２７】
ファスニングテープ７は、図１及び図３に示すように、テープ基材７１と止着部７２とを含んで構成されている。テープ基材７１は、図１に示す如き平面視において長方形形状をなし、その長手方向（横方向Ｙ）の一端側が、サイドパネル６の先端部６Ｓの非肌対向面に接着剤等の公知の接合手段によって固定されて、ファスニングテープ７のサイドパネル６との固定部７０が形成されている。テープ基材７１におけるサイドパネル６の先端部６Ｓから横方向Ｙに延出している部分の内面（肌対向面）には、止着部７２が固定されている。止着部７２は、機械的面ファスナーのオス部材からなり、後述する、機械的面ファスナーのメス部材からなる被止着領域９に対して着脱自在に止着可能である。
【００２８】
サイドパネル６を構成するパネル材６１としては、例えば、エアースルー不織布、ヒートロール不織布、スパンレース不織布、スパンボンド不織布、メルトブローン不織布等の各種製法による不織布、織布、編布、紙、樹脂フィルム等、及びこれら２以上を積層一体化させてなるシート材等を用いることができる。また、ファスニングテープ７を構成するテープ基材７１としては、例えば、不織布や不織布と樹脂フィルムの積層体等を用いることができる。
【００２９】
図１に示すように、腹側部１Ｆにおける吸収性本体５の非肌対向面には、機械的面ファスナーのメス部材からなる被止着領域９が形成されている。被止着領域９は、吸収性本体５の非肌対向面を形成する裏面シート３の非肌対向面（外面）に、機械的面ファスナーのメス部材を接着剤等の公知の接合手段によって固定して形成されており、機械的面ファスナーのオス部材からなる、ファスニングテープ７の止着部７２を着脱自在に止着可能である。
【００３０】
また、図１に示すように、腹側部１Ｆにおける吸収性本体５の縦方向Ｘに沿う両側縁部５Ｓ，５Ｓには、腹側フラップ５５，５５が形成されている。腹側フラップ５５は、非伸縮性のシート材からなり、該シート材は、サイドパネル６と同様に、その内側縁部側が、吸収性本体５の側縁部５Ｓ（サイドフラップ部５０）におけるサイドシート５１と裏面シート３との間に接着剤等の公知の接合手段によって固定されている。
【００３１】
前述の如き構成を有するおむつ１の主たる特徴の１つとして、図１に示すように、吸収性本体５を平面状に拡げて展開状態とし且つ一対のサイドパネル６，６それぞれを自然状態とした場合において、一対の止着用部材８，８それぞれに対して、サイドパネル固定点Ａ及びファスニングテープ固定点Ｂを通る仮想直線Ｌ１を引いた場合に、その２本の仮想直線Ｌ１，Ｌ１の交点Ｃ又は該交点Ｃの近傍に、非積繊部４５の背側縦方向端４５Ｒが位置しており、非積繊部４５は、背側縦方向端４５Ｒから吸収性コア４０の腹側縦方向端４０Ｆに向かって縦方向Ｘに延びている点が挙げられる。
【００３２】
ここでいう、「交点Ｃの近傍」は、図１に示す如き吸収性本体５（おむつ１）の展開状態において、交点Ｃから縦方向Ｘの一方側及び他方側それぞれに、吸収性本体５の縦方向Ｘの全長の１５％以内を意味し、１０％以内の領域内に位置していることが好ましい。
また、「吸収性本体５の展開状態」は、吸収性本体５が具備する弾性部材（弾性部材５２，５３等）を伸長させて該吸収性本体５を平面状に拡げた状態を意味する。
また、「サイドパネル６の自然状態」は、サイドパネル６を構成する弾性部材（弾性部材６２等）に外力が一切加えられていない非伸長状態を意味する。
【００３３】
また、「サイドパネル固定点Ａ」は、図１に示すように、サイドパネル６の吸収性本体５との固定部６０（接着剤等の接合手段を介して吸収性本体５と接合している部分）における、縦方向Ｘの最内方且つ横方向Ｙの最外方に位置する部分である。つまり、サイドパネル固定点Ａは、固定部６０の股下部１Ｍ側の縦方向端における横方向Ｙの最外方に位置する点である。尚、図１に示す形態における固定部６０は、サイドパネル６における吸収性本体５との重なり部分全体であるため、そのサイドパネル固定点Ａは、吸収性本体５の縦方向Ｘに沿う側縁部５Ｓ上に位置しているが、例えば、固定部６０が側縁部５Ｓよりも横方向Ｙの内方に存する場合は、そのサイドパネル固定点Ａは側縁部５Ｓよりも横方向Ｙの内方に位置することになる。
【００３４】
また、「ファスニングテープ固定点Ｂ」は、図１に示すように、ファスニングテープ７のサイドパネル６との固定部７０（接着剤等の接合手段を介してサイドパネル６と接合している部分）における縦方向Ｘの最内方且つ横方向Ｙの最外方に位置する部分である。つまり、ファスニングテープ固定点Ｂは、固定部７０の股下部１Ｍ側の縦方向端における横方向Ｙの最外方に位置する点である。図１に示す形態における固定部７０は、ファスニングテープ７におけるサイドパネル６との重なり部分全体であるため、そのファスニングテープ固定点Ｂは、サイドパネル６の縦方向Ｘに沿う側縁部上に位置しているが、例えば、固定部７０が該側縁部よりも横方向Ｙの内方に存する場合は、そのファスニングテープ固定点Ｂは該側縁部よりも横方向Ｙの内方に位置することになる。
【００３５】
母親が乳幼児におむつ１を装着させる場合の典型的な装着操作としては、乳幼児を仰向けに寝かせた状態で、おむつ１の腹側部１Ｆ、股下部１Ｍ及び背側部１Ｒを乳幼児の対応する部位にあてがい、その状態から一対のファスニングテープ７，７それぞれの先端部を手指で把持して腹側部１Ｆ側に引っ張り、各ファスニングテープ７の止着部７２を腹側部１Ｆの被止着領域９に止着させる操作が挙げられる。前述した、サイドパネル固定点Ａとファスニングテープ固定点Ｂとを結ぶ仮想直線Ｌ１は、斯かるおむつ１の装着操作においては、ファスニングテープ７を引っ張った際の力線に略一致し、２本の仮想直線Ｌ１，Ｌ１の交点Ｃは、ファスニングテープ７を把持しておむつ１を引っ張り上げたときの引張力が作用する点となる。また、ファスニングテープ７を腹側部１Ｆ側に引っ張って止着させる過程で、おむつ１は仮想直線Ｌ１を折り目として着用者の肌側に折れ曲がり、その折り目よりも縦方向Ｘの腹側（前側）に位置する部分（股下部１Ｍ及び腹側部１Ｆ）が、着用者の股下に沿うように配される。
【００３６】
従来の展開型の使い捨ておむつは、その装着過程においてファスニングテープを把持して該従来おむつを引っ張り上げたときに、おむつ１の交点Ｃに相当する部分が、着用者の身体、特に鼠蹊部の背側の端部に引っ掛かりやすく、そのため、該従来おむつにおける着用者の股下に配置される部分に意図しない皺や折れが入り、十分なフィット性が得られず、漏れにつながりやすいという課題があった。一般に、ヒトの身体における鼠蹊部の背側の端部は、該端部を含む、背側の腰周りから股下にわたる一連の部分において、表面形状が比較的大きく変化する部位であるため、ファスニングテープを引っ張ったときの引張力の作用点である交点Ｃが該端部で引っ掛かりやすく、またそのような、交点Ｃでの身体との引っ掛かりが生じることで、おむつに意図しない皺や折れが生じる。そして、おむつの肌対向面（表面シート側）にそのような皺や折れが生じると、該肌対向面と着用者の肌との間に隙間が生じるため、おむつのフィット性が低下し、着用者の排泄液がその隙間を伝って外部に漏れ出すおそれがある。
【００３７】
これに対し、本実施形態のおむつ１においては、図１に示すように、周辺部に比して低剛性でおむつ１が折れ曲がるときの折り目になりやすい、非積繊部４５が、交点Ｃ又はその近傍から腹側部１Ｆに向かって、着用者の前後方向に相当する縦方向Ｘに沿って延びているため、前記のように、ファスニングテープ７を腹側部１Ｆ側に引っ張って止着させる過程で、図４及び図５に示すように、主に背側部１Ｒに２本の仮想直線Ｌ１，Ｌ１に沿って折り目が生じると共に、これら２本の折り目（仮想直線Ｌ１，Ｌ１）と実質的に連続するように、主に股下部１Ｍに非積繊部４５に沿って折り目が生じる。その結果、おむつ１の着用状態において、股下部１Ｍは、図５に示すように、２本の非積繊部４５，４５を折り目として非肌対向面側（裏面シート３側）に折れ曲がり、２本の非積繊部４５，４５が着用者の股間部における鼠蹊部にフィットする。尚、図４及び図５中の符号１００は着用者を示している。
【００３８】
このように、おむつ１は、通常の装着操作によって、フィット性の良好な理想的な着用状態を可能にする、「背側部１Ｒから股下部１Ｍにわたって実質的に連続する折り目」が、特定部位（仮想直線Ｌ１上及び非積繊部４５）にのみ形成されるように設計されているため、該特定部位以外の他の部位には、意図しない皺や折れが発生し難い。つまり、おむつ１によれば、装着操作の際に特段の注意を払わずとも、常法に従って装着するだけで、意図しない皺や折れが少なくフィット性の良好な、理想的な着用状態が得られるため、高い漏れ防止効果が得られる。非積繊部４５の背側縦方向端４５Ｒが交点Ｃ又はその近傍に位置しておらず、交点Ｃから離れすぎている場合には、着用状態において意図しない皺や折れが多発するため、フィット性、漏れ防止性の点で満足し得る結果は得られない。
【００３９】
このような折り目の形成による作用効果をより確実に奏させるようにする観点から、図１に示すように、吸収性本体５を平面状に拡げて展開状態とし且つ一対のサイドパネル６，６それぞれを自然状態とした場合において、一対のサイドフラップ部５０，５０のうちの一方におけるレッグギャザー形成用弾性部材５３の腹側縦方向端５３Ｆと、他方における弾性部材５３の腹側縦方向端５３Ｆとが、縦方向Ｘにおいて同位置にあり、それら両腹側縦方向端５３Ｆ，５３Ｆを通って横方向に延びる仮想直線Ｌ２を１本引いた場合に、その仮想直線Ｌ２上、又は仮想直線Ｌ２の近傍で且つ仮想直線Ｌ２よりも交点Ｃに近い部位に、非積繊部４５の腹側縦方向端４５Ｆが位置していることが好ましい。斯かる構成により、着用者の股間部における鼠蹊部に追従可能にフィットする非積繊部４５と、着用者の脚周りに追従可能にフィットする一対のレッグギャザーとが相乗的に作用するようになるため、フィット性、漏れ防止効果がより一層向上し得る。非積繊部４５の腹側縦方向端４５Ｆが仮想直線Ｌ２を越えて吸収性本体５の腹側縦方向端５Ｆに近い位置にあると、非積繊部４５の影響により、おむつ１の着用時に腹側部１Ｆに皺が入りやすくなる。
【００４０】
ここでいう、「仮想直線Ｌ２の近傍で且つ仮想直線Ｌ２よりも交点Ｃに近い部位」とは、図１に示す如き吸収性本体５（おむつ１）の展開状態且つ一対のサイドパネル６，６それぞれの自然状態において、仮想直線Ｌ２から交点Ｃ側（股下部１Ｍ側）に、吸収性本体５の縦方向Ｘの全長の１５％以内を意味し、１０％以内の領域内に位置していることが好ましい。
また、「弾性部材５３の腹側縦方向端５３Ｆ」は、弾性部材５３における伸縮性を有する部分の腹側縦方向端を意味し、弾性部材５３の長さ方向腹側端とは必ずしも一致しない。即ち、「弾性部材５３における伸縮性を有する部分」は、サイドフラップ部５０に伸長状態で固定された部分であるところ、例えば、弾性部材５３の長さ方向の腹側端部（即ち長さ方向の腹側端及びその近傍）がサイドフラップ部５０に固定されていない場合、その長さ方向の腹側端部は伸縮性を有していないので、「弾性部材５３の腹側縦方向端５３Ｆ」ではない。
【００４１】
また、同様の観点から、図１に示すように、吸収性本体５を平面状に拡げて展開状態とし且つ一対のサイドパネル６，６それぞれを自然状態とした場合において、２本の仮想直線Ｌ１，Ｌ１それぞれの近傍に、レッグギャザー形成用弾性部材５３の背側縦方向端５３Ｒが位置していることが好ましい。このように、おむつ１の装着操作においてファスニングテープ７を引っ張ったときの力線となり且つ折り目となる、仮想直線Ｌ１の近傍に、着用者の脚周りに追従可能にフィットするレッグギャザーを形成する弾性部材５３の縦方向端が位置していることにより、特に、股下部１Ｍの着用者の股間部に対するフィット性がより一層向上し、延いては漏れ防止効果が一層向上し得る。
【００４２】
ここでいう、「仮想直線Ｌ１の近傍」とは、図１に示す如き吸収性本体５（おむつ１）の展開状態且つ一対のサイドパネル６，６それぞれの自然状態において、仮想直線Ｌ１から縦方向Ｘの一方側及び他方側それぞれに、吸収性本体５の縦方向Ｘの全長の１５％以内を意味し、１０％以内の領域内に位置していることが好ましい。
また、「弾性部材５３の背側縦方向端５３Ｒ」は、前記「弾性部材５３の腹側縦方向端５３Ｆ」と同様に、弾性部材５３における伸縮性を有する部分の背側縦方向端を意味する。
【００４３】
また、フィット性のさらなる向上の観点から、吸収性本体５の背側縦方向端５Ｒから２本の仮想直線Ｌ１，Ｌ１の交点Ｃまでの縦方向に沿った長さＷ（図１参照）は、吸収性本体５の縦方向Ｘの全長の３０〜５０％、特に３５〜４５％であることが好ましい。
【００４４】
また、非積繊部４５の横方向Ｙの長さ（即ち幅）が大きいほど、非積繊部４５でのおむつ１（股下部１Ｍ）の屈曲性が向上するため、非積繊部４５に折り目が形成されやすくなるが、非積繊部４５の幅が大きくなることは、吸収性コア４０の吸収性能の低下に繋がる。斯かる点を考慮し、非積繊部４５での屈曲性即ち折り目の形成のしやすさと吸収性能とのバランスの観点から、非積繊部４５の幅は、吸収性コア４０の横方向Ｙの長さ（即ち幅）が最も狭い部分に対して、好ましくは３％以上、さらに好ましくは５％以上、そして、好ましくは３０％以下、さらに好ましくは２５％以下、より具体的には、好ましくは３％以上３０％以下、さらに好ましくは５％以上２５％以下である。
【００４５】
また、非積繊部４５の縦方向Ｘの長さは、吸収性コア４０の縦方向Ｘの長さに対して、好ましくは２５％以上、さらに好ましくは３０％以上、そして、好ましくは５０％以下、さらに好ましくは４５％以下、より具体的には、好ましくは２５％以上５０％以下、さらに好ましくは３０％以上４５％以下である。
【００４６】
また、図２に示すように、吸収性コア４０における２本の非積繊部４５，４５の配置部位においては、各非積繊部４５の横方向Ｙの両側に、吸収性コア４０を構成するコア形成材料が非積繊部４５よりも多量に存している、積繊部４６が存している。つまり、おむつ１における吸収性コア４０には、吸収性コア４０の縦方向Ｘに沿う両側縁部に位置する一対の積繊部４６，４６と、２本の非積繊部４５，４５間に存する１つの積繊部４６との合計３つの積繊部４６が存しているところ、フィット性（非積繊部４５の屈曲性）と吸収性能との両立の観点から、２本の非積繊部４５，４５の配置部位のうちで吸収性コア４０の横方向Ｙの長さ（即ち幅）が最も狭い部分において、これら３つの積繊部４６の横方向Ｙの長さ（即ち幅）の比率は１：１：１、即ち均一であることが好ましい。
【００４７】
以上、本発明について説明したが、本発明は、前述した実施形態に制限されず適宜変更可能である。
例えば、前記実施形態のおむつ１では非積繊部の数は２本であったが、本発明においては非積繊部の数は特に制限されず、例えば、吸収性コアの横方向中央部に１本のみが形成されていても良く、３本以上が横方向に並列して形成されていても良い。吸収性コアの吸収性能等を考慮すると、非積繊部の数は１〜３本が好ましく、特におむつ１のように、股下部１Ｍにおける吸収性コア４０の横方向Ｙの中央部（排泄部対向部を含む領域）に積繊部４６が配置され、該積繊部４６の横方向Ｙの両側に２本の非積繊部４５，４５が配置された形態が好ましい。
また、本発明の吸収性物品は、前記実施形態の如き展開型の使い捨ておむつに制限されず、人体から排出される体液（尿、経血、軟便、汗等）の吸収に用いられる物品（展開型着用物品）を広く包含し、例えば、おむつカバー、パッドホルダー等も包含される。
前述した本発明の実施形態に関し、更に以下の付記を開示する。
【００４８】
＜１＞
着用者の腹側から股間部を介して背側に延びる縦方向とこれに直交する横方向とを有すると共に、着用時に該股間部に配される股下部と、該股下部よりも着用者の腹側に配される腹側部と、該股下部よりも着用者の背側に配される背側部とを縦方向に有し、
コア形成材料が積繊されてなる吸収性コアを含んで構成される吸収性本体を具備し、前記背側部における該吸収性本体の縦方向に沿う両側縁部に、一対の止着用部材が該両側縁部から横方向外方に延出するように固定された吸収性物品であって、
前記股下部における前記吸収性コアに、縦方向に延びる非積繊部が形成されており、
一対の前記止着用部材は、それぞれ、前記吸収性本体の側縁部から横方向外方に延出するように該吸収性本体に固定された伸縮性のサイドパネルと、該サイドパネルの延出方向先端部から横方向外方に延出するように該サイドパネルに固定されたファスニングテープとを含んで構成され、
前記吸収性本体を平面状に拡げて展開状態とし且つ前記サイドパネルを自然状態とした場合において、
前記サイドパネルの前記吸収性本体との固定部における縦方向最内方且つ横方向最外方に位置する部分を、サイドパネル固定点とし、
前記ファスニングテープの前記サイドパネルとの固定部における縦方向最内方且つ横方向最外方に位置する部分を、ファスニングテープ固定点とし、
一対の前記止着用部材それぞれに対して、前記サイドパネル固定点及び前記ファスニングテープ固定点を通る仮想直線Ｌ１を引いた場合に、
その２本の仮想直線Ｌ１の交点又は該交点の近傍に、前記非積繊部の背側縦方向端が位置しており、該非積繊部は、該背側縦方向端から前記吸収性コアの腹側縦方向端に向かって縦方向に延びている吸収性物品。
【００４９】
＜２＞
前記吸収性本体は、前記腹側部から前記背側部にわたって、前記吸収性コアの縦方向に沿う両側縁それぞれから横方向外方に延出する一対のサイドフラップ部を有し、一対の該サイドフラップ部それぞれに、レッグギャザー形成用弾性部材が、前記股下部を通って縦方向に延びるように伸長状態で配されており、
前記吸収性本体を平面状に拡げて展開状態とし且つ前記サイドパネルを自然状態とした場合において、
一対の前記サイドフラップ部のうちの一方における前記弾性部材の腹側縦方向端と、他方におけるそれとが、縦方向において同位置にあり、それら両腹側縦方向端を通って横方向に延びる仮想直線Ｌ２を１本引いた場合に、その仮想直線Ｌ２上、又は仮想直線Ｌ２の近傍で且つ仮想直線Ｌ２よりも前記交点に近い部位に、前記非積繊部の腹側縦方向端が位置している前記＜１＞に記載の吸収性物品。
＜３＞
前記仮想直線Ｌ２の近傍で且つ該仮想直線Ｌ２よりも前記交点に近い部位は、前記展開状態且つ前記自然状態において、該仮想直線Ｌ２から該交点側に前記吸収性本体の縦方向の全長の１５％以内の領域である前記＜２＞に記載の吸収性物品。
【００５０】
＜４＞
前記吸収性本体は、前記腹側部から前記背側部にわたって、前記吸収性コアの縦方向に沿う両側縁それぞれから横方向外方に延出する一対のサイドフラップ部を有し、一対の該サイドフラップ部それぞれに、レッグギャザー形成用弾性部材が、前記股下部を通って縦方向に延びるように伸長状態で配されており、
前記吸収性本体を平面状に拡げて展開状態とし且つ前記サイドパネルを自然状態とした場合において、
２本の前記仮想直線Ｌ１それぞれの近傍に、前記レッグギャザー形成用弾性部材の背側縦方向端が位置している前記＜１＞〜＜３＞の何れか一項に記載の吸収性物品。
＜５＞
前記仮想直線Ｌ１の近傍は、前記展開状態且つ前記自然状態において、該仮想直線Ｌ１から縦方向の一方側及び他方側それぞれに前記吸収性本体の縦方向の全長の１５％以内の領域である前記＜４＞に記載の吸収性物品。
＜６＞
前記吸収性本体の背側縦方向端から２本の前記仮想直線Ｌ１の交点までの縦方向に沿った長さは、該吸収性本体の縦方向の全長の３０〜５０％、好ましくは３５〜４５％である前記＜１＞〜＜５＞の何れか一項に記載の吸収性物品。
【００５１】
＜７＞
前記非積繊部の背側縦方向端は、２本の前記仮想直線Ｌ１の交点、又は該交点から縦方向の一方側及び他方側それぞれに前記吸収性本体の縦方向の全長の１５％以内の領域内に位置している前記＜１＞〜＜６＞の何れか一項に記載の吸収性物品。
＜８＞
前記非積繊部の横方向の長さ即ち幅は、前記吸収性コアの横方向の長さ即ち幅が最も狭い部分に対して、好ましくは３％以上、さらに好ましくは５％以上、そして、好ましくは３０％以下、さらに好ましくは２５％以下である前記＜１＞〜＜７＞の何れか一項に記載の吸収性物品。
＜９＞
前記非積繊部の縦方向の長さは、前記吸収性コアの縦方向の長さに対して、好ましくは２５％以上、さらに好ましくは３０％以上、そして、好ましくは５０％以下、さらに好ましくは４５％以下、より具体的には、好ましくは２５％以上５０％以下、さらに好ましくは３０％以上４５％以下である前記＜１＞〜＜８＞の何れか一項に記載の吸収性物品。
＜１０＞
前記吸収性コアには、前記非積繊部が横方向に所定間隔を置いて一対存していると共に、該一対の非積繊部それぞれの横方向外方と該一対の非積繊部間との計３箇所に、該吸収性コアを構成するコア形成材料が該非積繊部よりも多量に存している、積繊部が存しており、
前記吸収性コアにおける、前記一対の非積繊部の配置部位のうちで該吸収性コアの横方向の長さ即ち幅が最も狭い部分において、前記３箇所の積繊部それぞれの横方向の長さ即ち幅の比率は１：１：１、即ち互いに均一である前記＜１＞〜＜９＞の何れか一項に記載の吸収性物品。
【００５２】
＜１１＞
前記非積繊部４５は、前記吸収性コアを構成するコア形成材料が全く存在しない貫通孔である前記＜１＞〜＜１０＞の何れか一項に記載の吸収性物品。
＜１２＞
前記非積繊部は、前記腹側部における前記吸収性コアの腹側縦方向端よりも縦方向の内方位置から、前記股下部を介して、前記背側部における該吸収性コアの背側縦方向端よりも縦方向の内方位置にわたって連続している前記＜１＞〜＜１１＞の何れか一項に記載の吸収性物品。
＜１３＞
前記吸収性コアは、その肌対向面が肌側コアラップシートで被覆されていると共に、非肌対向面が非肌側コアラップシートで被覆されており、
前記非積繊部において前記肌側コアラップシートと前記非肌側コアラップシートとが接合している前記＜１＞〜＜１２＞の何れか一項に記載の吸収性物品。
＜１４＞
前記吸収性本体は表面シート及び裏面シートを備え、両シート間に前記吸収性コアが介在配置されており、
前記肌側コアラップシートが前記表面シートに接着剤によって接合され、前記非肌側コアラップシートが前記裏面シートに接着剤によって接合されている前記＜１４＞に記載の吸収性物品。
＜１５＞
前記止着用部材は、前記吸収性本体とは別部材である前記＜１＞〜＜１４＞の何れか一項に記載の吸収性物品。
＜１６＞
前記吸収性コアは単層構造である前記＜１＞〜＜１５＞の何れか一項に記載の吸収性物品。
＜１７＞
前記サイドパネル固定点は、前記吸収性本体の縦方向に沿う側縁部よりも横方向の内方に位置している前記＜１＞〜＜１６＞の何れか一項に記載の吸収性物品。
＜１８＞
前記ファスニングテープ固定点は、前記サイドパネルの縦方向に沿う側縁部よりも横方向の内方に位置している前記＜１＞〜＜１７＞の何れか一項に記載の吸収性物品。
【符号の説明】
【００５３】
１  使い捨ておむつ（吸収性物品）
１Ｆ  吸収性物品の腹側部
１Ｍ  吸収性物品の股下部
１Ｒ  吸収性物品の背側部
２  表面シート
３  裏面シート
４  吸収体
４０  吸収性コア
４１  肌側コアラップシート
４２  非肌側コアラップシート
４５  非積繊部
４５Ｆ  非積繊部の腹側縦方向端
４５Ｒ  非積繊部の背側縦方向端
４６  積繊部
５  吸収性本体
５０  サイドフラップ部
５１  サイドシート
５２  立体ギャザー形成用弾性部材
５３  レッグギャザー形成用弾性部材
５３Ｆ  レッグギャザー形成用弾性部材の腹側縦方向端
５３Ｒ  レッグギャザー形成用弾性部材の背側縦方向端
６  サイドパネル
６０  サイドパネルの吸収性本体との固定部
６１  パネル材
６２  弾性部材
７  ファスニングテープ
７０  ファスニングテープのサイドパネルとの固定部
７１  テープ基材
７２  止着部
８  止着用部材
９  被止着領域
Ａ  サイドパネル固定点
Ｂ  ファスニングテープ固定点
Ｃ  ２本の仮想直線Ｌ１の交点
Ｌ１，Ｌ２  仮想直線
Ｘ  縦方向
Ｙ  横方向
【図１】
2017051281.tif 000003
【図２】
2017051281.tif 000004
【図３】
2017051281.tif 000005
【図４】
2017051281.tif 000006
【図５】
2017051281.tif 000007
【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
着用者の腹側から股間部を介して背側に延びる縦方向とこれに直交する横方向とを有すると共に、着用時に該股間部に配される股下部と、該股下部よりも着用者の腹側に配される腹側部と、該股下部よりも着用者の背側に配される背側部とを縦方向に有し、
コア形成材料が積繊されてなる吸収性コアを含んで構成される吸収性本体を具備し、前記背側部における該吸収性本体の縦方向に沿う両側縁部に、一対の止着用部材が該両側縁部から横方向外方に延出するように固定された吸収性物品であって、
前記股下部における前記吸収性コアに、縦方向に延びる非積繊部が形成されており、
一対の前記止着用部材は、それぞれ、前記吸収性本体の側縁部から横方向外方に延出するように該吸収性本体に固定された伸縮性のサイドパネルと、該サイドパネルの延出方向先端部から横方向外方に延出するように該サイドパネルに固定されたファスニングテープとを含んで構成され、
前記吸収性本体を平面状に拡げて展開状態とし且つ前記サイドパネルを自然状態とした場合において、
前記サイドパネルの前記吸収性本体との固定部における縦方向最内方且つ横方向最外方に位置する部分を、サイドパネル固定点とし、
前記ファスニングテープの前記サイドパネルとの固定部における縦方向最内方且つ横方向最外方に位置する部分を、ファスニングテープ固定点とし、
一対の前記止着用部材それぞれに対して、前記サイドパネル固定点及び前記ファスニングテープ固定点を通る仮想直線Ｌ１を引いた場合に、
その２本の仮想直線Ｌ１の交点又は該交点の近傍に、前記非積繊部の背側縦方向端が位置しており、該非積繊部は、該背側縦方向端から前記吸収性コアの腹側縦方向端に向かって縦方向に延びており、
前記吸収性本体は、前記腹側部から前記背側部にわたって、前記吸収性コアの縦方向に沿う両側縁それぞれから横方向外方に延出する一対のサイドフラップ部を有し、一対の該サイドフラップ部それぞれに、レッグギャザー形成用弾性部材が、前記股下部を通って縦方向に延びるように伸長状態で配されており、
前記吸収性本体を平面状に拡げて展開状態とし且つ前記サイドパネルを自然状態とした場合において、
一対の前記サイドフラップ部のうちの一方における前記弾性部材の腹側縦方向端と、他方におけるそれとが、縦方向において同位置にあり、それら両腹側縦方向端を通って横方向に延びる仮想直線Ｌ２を１本引いた場合に、その仮想直線Ｌ２上、又は仮想直線Ｌ２の近傍で且つ仮想直線Ｌ２よりも前記交点に近い部位に、前記非積繊部の腹側縦方向端が位置している吸収性物品。
【請求項２】
前記吸収性本体を平面状に拡げて展開状態とし且つ前記サイドパネルを自然状態とした場合において、
２本の前記仮想直線Ｌ１それぞれの近傍に、前記レッグギャザー形成用弾性部材の背側縦方向端が位置している請求項１に記載の吸収性物品。
【請求項３】
前記吸収性本体の背側縦方向端から２本の前記仮想直線Ｌ１の交点までの縦方向に沿った長さは、該吸収性本体の縦方向の全長の３０〜５０％である請求項１又は２に記載の吸収性物品。